(57)【要約】【課題】締め付け具を縦締めしてバッテリポストに接続することが可能なバッテリ端子を提供する。【解決手段】バッテリポスト４０に外嵌可能な筒状に形成された嵌合部１４と、前記嵌合部１４から径方向の外方に突出して、前記嵌合部１４の周方向に対向配置された一対の対向片１５と、前記対向片１５に設けられ、前記一対の対向片１５の対向方向とは反対方向に突出している突出部１６と、前記対向片１５の前記嵌合部１４の軸方向と同方向に隣接して配され、締め付け具３０によって前記同方向に締め付けられて前記同方向に変位するカム板部２０と、前記カム板部２０に設けられ、前記カム板部２０の変位に伴って前記突出部１６を前記一対の対向片１５が接近する方向に変位させる傾斜をなす傾斜部２２と、を備えている。【選択図】図２
2017117602.tif 000002
【特許請求の範囲】
【請求項１】
バッテリポストに外嵌可能な筒状に形成された嵌合部と、
前記嵌合部から径方向の外方に突出して、前記嵌合部の周方向に対向配置された一対の対向片と、
前記対向片に設けられ、前記一対の対向片の対向方向とは反対方向に突出している突出部と、
前記対向片の前記嵌合部の軸方向と同方向に隣接して配され、締め付け具によって前記同方向に締め付けられて前記同方向に変位するカム板部と、
前記カム板部に設けられ、前記カム板部の変位に伴って前記突出部を前記一対の対向片が接近する方向に変位させる傾斜を有する傾斜部と、
を備えているバッテリ端子。
【請求項２】
前記突出部が、前記傾斜部と同様の方向に傾斜している請求項１に記載のバッテリ端子。
【請求項３】
前記突出部が、前記対向片のうち前記同方向における両端部に設けられ、
前記カム板部が、前記対向片の前記同方向における両側に備えられている請求項１または請求項２に記載のバッテリ端子。
【請求項４】
前記突出部が、前記対向片の前記同方向における端縁部から前記反対方向に屈曲して形成されたものである請求項１ないし請求項３のいずれか一項に記載のバッテリ端子。
【請求項５】
前記突出部が、前記一対の対向片の両方に設けられている請求項１ないし請求項４のいずれか一項に記載のバッテリ端子。
【発明の詳細な説明】
【技術分野】
【０００１】
本発明は、バッテリ端子に関する。
【背景技術】
【０００２】
従来、自動車などのバッテリに立設されたバッテリポストに接続されるバッテリ端子が知られている。バッテリ端子は、バッテリポストに外嵌可能な筒状に形成された嵌合部と、嵌合部から径方向の外方に突出して、嵌合部の周方向に対向配置された一対の対向片と、を有している。バッテリ端子は、一対の対向片が接近することで、嵌合部が縮径し、バッテリポストに締め付けられて接続される。
【０００３】
例えば下記特許文献１に記載のバッテリ端子は、一対の対向片の対向方向に挿通された締め付け具を締め付けることにより、一対の対向片を接近させて、バッテリ端子をバッテリポストに接続するものである。
【先行技術文献】
【特許文献】
【０００４】
【特許文献１】特開２０１２−２３０８１５号公報
【発明の概要】
【発明が解決しようとする課題】
【０００５】
しかしながら、上記のように、一対の対向片の対向方向に締め付け具を締め付ける（横締めする）バッテリ端子は、バッテリポストの周囲の形状等により、接続作業を行いにくい場合がある。そこで、締め付け具を、嵌合部の軸方向と同方向に締め付ける（縦締めする）ことにより、バッテリポストに接続することが可能なバッテリ端子が望まれている。
【０００６】
本発明は上記のような事情に基づいて完成されたものであって、締め付け具を縦締めしてバッテリポストに接続することが可能なバッテリ端子を提供することを目的とする。
【課題を解決するための手段】
【０００７】
本発明のバッテリ端子は、バッテリポストに外嵌可能な筒状に形成された嵌合部と、前記嵌合部から径方向の外方に突出して、前記嵌合部の周方向に対向配置された一対の対向片と、前記対向片に設けられ、前記一対の対向片の対向方向とは反対方向に突出している突出部と、前記対向片の前記嵌合部の軸方向と同方向に隣接して配され、締め付け具によって前記同方向に締め付けられて前記同方向に変位するカム板部と、前記カム板部に設けられ、前記カム板部の変位に伴って前記突出部を前記一対の対向片が接近する方向に変位させる傾斜を有する傾斜部と、を備えている。
【発明の効果】
【０００８】
本発明によれば、締め付け具を縦締めすると、カム板部が嵌合部の軸方向と同方向に変位し、それに伴って一対の対向片が接近する方向に変位し、嵌合部が縮径してバッテリポストに接続されるから、締め付け具を縦締めしてバッテリ端子をバッテリポストに接続することができる。
【図面の簡単な説明】
【０００９】
【図１】実施例１におけるバッテリ端子であって、バッテリポストに接続する前の様子を示す側面図
【図２】バッテリ端子を示す正面図
【図３】端子本体部を示す正面図
【図４】端子本体部を示す側面図
【図５】端子本体部を示す平面図
【図６】バッテリポストに嵌合されて締め付け具が締め付けられる前の状態を示すバッテリ端子の側面図
【図７】バッテリポストに嵌合されて締め付け具が締め付けられる前の状態を示すバッテリ端子の平面図
【図８】締め付け具が締め付けられてバッテリポストに接続された状態を示すバッテリ端子の正面図
【図９】締め付け具が締め付けられてバッテリポストに接続された状態を示すバッテリ端子の平面図
【図１０】実施例２におけるバッテリ端子の端子本体部を示す平面図
【図１１】バッテリ端子を示す正面図
【図１２】バッテリポストに嵌合されて締め付け具が締め付けられる前の状態を示すバッテリ端子の平面図
【図１３】締め付け具が締め付けられてバッテリポストに接続された状態を示すバッテリ端子の正面図
【図１４】締め付け具が締め付けられてバッテリポストに接続された状態を示すバッテリ端子の平面図
【発明を実施するための形態】
【００１０】
本発明の好ましい形態を以下に示す。
本発明のバッテリ端子は、前記突出部が、前記傾斜部と同様の方向に傾斜しているものとしてもよい。このような構成によれば、突出部と傾斜部とが面あたりするので、バッテリ端子の接続作業をスムーズに行うことができる。
【００１１】
また、本発明のバッテリ端子は、前記突出部が、前記対向片のうち前記同方向における両端部に設けられ、前記カム板部が、前記対向片の前記同方向における両側に備えられているものとしてもよい。このような構成によれば、嵌合部の軸方向における両端部を締め付けて、バッテリポストに接続することができる。
【００１２】
また、本発明のバッテリ端子は、前記突出部が、前記対向片の前記同方向における端縁部から前記反対方向に屈曲して形成されたものとしてもよい。このような構成によれば、比較的容易に突出部を形成することができる。
【００１３】
また、本発明のバッテリ端子は、前記突出部が、前記一対の対向片の両方に設けられているものとしてもよい。このような構成によれば、一対の対向片の両方がカム板部によって押圧されるから、一方の対向片のみが押圧される場合に比して、嵌合部をバランスよく縮径変形させることができる。
【００１４】
＜実施例１＞
以下、本発明を具体化した実施例１について、図１〜図９を参照しつつ詳細に説明する。
本実施例におけるバッテリ端子Ｔは、自動車などのバッテリに立設されたバッテリポスト４０に接続されるものである。バッテリポスト４０は、バッテリ本体４１の上面から突出する円錐台形状をなしている。以下、各構成部材において、図１の上側を上方、下側を下方として説明する。
【００１５】
バッテリ端子Ｔは、導電性の金属板材を曲げ加工等して一体に成形された端子本体部１０と、端子本体部１０とは別体に成形されたカム板部２０と、ボルト３１およびナット３２を有する締め付け具３０と、を備えている。
【００１６】
端子本体部１０は、図９に示すように、電線４２の端末部に接続された端子金具４３が接続される電線接続部１８を有している。電線接続部１８は、端子本体部１０に形成された箱部１１に、スタッドボルト１２が立設されたものである。端子金具４３は、図示しない貫通孔にスタッドボルト１２を通して箱部１１の上面に載せられ、その上側に固定ナット１３が締め付けられることにより、箱部１１に押し付けられて固定される。
【００１７】
端子本体部１０は、バッテリポスト４０に嵌合して固定される嵌合部１４を有している。嵌合部１４は、バッテリポスト４０に外嵌可能な筒状に形成され、バッテリポスト４０を包囲するような円弧状をなしている。嵌合部１４は、バッテリポスト４０と対応する円錐台形状をなしている。嵌合部１４は、図７に示すように、バッテリポスト４０に遊嵌された状態から、後述する一対の対向片１５の接近動作に伴って縮径変形し、図９に示すように、バッテリポスト４０に密着した状態になる。
【００１８】
端子本体部１０は、図５に示すように、嵌合部１４から径方向の外方に突出して、嵌合部１４の周方向に対向配置された一対の対向片１５を備えている。対向片１５は、嵌合部１４と一体に成形されており、嵌合部１４の周方向における両端から突出した平板状をなしている。一対の対向片１５は、嵌合部１４を間にして電線接続部１８と１８０度異なる側（反対側）に位置している。一対の対向片１５は、互いに略平行に配されている。一対の対向片１５は、嵌合部１４の高さ寸法と同等の高さ寸法を有している。
【００１９】
対向片１５には、図３に示すように、外方向（一対の対向片１５の対向方向とは反対方向）に突出して突出部１６が設けられている。突出部１６は、対向片１５の上下両端部（嵌合部１４の軸方向と同方向における両端部）に設けられている。突出部１６は、対向片１５の上端縁部および下端縁部（嵌合部１４の軸方向と同方向における端縁部）から外方向に屈曲して形成されている。対向片１５の上下両端部に設けられた突出部１６は、上下方向に対称な形状をなしている。
【００２０】
突出部１６は、一対の対向片１５の両方に設けられている。一対の対向片１５に設けられた突出部１６は、一対の対向片１５の対向方向（図３の左右方向）に対称な形状をなしている。各突出部１６は、後述するカム板部２０の傾斜部２２の傾斜と同方向に傾いている。
【００２１】
上下の突出部１６のうち対向片１５の上側に位置する突出部１６（以後、上側突出部１６Ｕと称する）は、対向片１５の上端縁部から斜め下外向きに傾斜している。上下の突出部１６のうち対向片１５の下側に位置する突出部１６（以後、下側突出部１６Ｓと称する）は、対向片１５の下端縁部から斜め外上向きに傾斜している。
【００２２】
上下の突出部１６Ｕ，１６Ｓの先端同士は、各対向片１５の上下方向における中心部で近接または当接している。対向片１５および上下の突出部１６Ｕ，１６Ｓは、正面側から見ると、略三角形状に屈曲されている。
【００２３】
突出部１６は、図５に示すように、各対向片１５の概ね全幅（嵌合部１４の径方向と同方向の幅）にわたって形成されている。各突出部１６は、図４に示すように、幅寸法（嵌合部１４の径方向と同方向の長さ寸法）が高さ方向の寸法よりも大きい略長方形の板状をなしている。
【００２４】
対向片１５の上側および下側（嵌合部１４の軸方向と同方向における両側）には、図２に示すように、カム板部２０が隣接して備えられている。上下のカム板部２０は、同形状とされている。カム板部２０は、全体として板状をなし、端子本体部１０の板厚寸法よりも大きい板厚寸法を有している。カム板部２０は、図７に示すように、突出部１６を含む一対の対向片１５の全体を覆うことが可能な長方形状をなしている。
【００２５】
カム板部２０は、図２に示すように、一対の対向片１５の間に略水平に渡される水平部２１と、水平部２１の長手方向における両端部に設けられて斜め外側に傾斜している傾斜部２２とを備えている。カム板部２０は、長手方向（一対の対向片１５の対向方向）に対称な形状をなしている。
【００２６】
水平部２１は、締め付け前の一対の対向片１５の両方にわたる幅寸法を有している。水平部２１の中心部には、ボルト３１の軸部３３を挿通可能な挿通孔２３が、板厚方向に貫通形成されている。上下のカム板部２０は、締め付け具３０によって上下方向（嵌合部１４の軸方向と同方向）に締め付けられることにより、上下方向（嵌合部１４の軸方向と同方向）に変位するようになっている。
【００２７】
傾斜部２２は、カム板部２０の変位に伴って突出部１６を内方向（一対の対向片１５が接近する方向）に変位させる傾斜を有している。傾斜部２２の傾斜は、図２に示すように、内側面２４に形成され、突出部１６の外側面１７に面接触するものとされている。傾斜部２２の内側面２４の傾斜と突出部１６の外側面１７の傾斜とは、同等の勾配とされている。
【００２８】
締め付け具３０を締め付ける前の状態のバッテリ端子Ｔは、図２に示すように、カム板部２０の傾斜部２２が上側突出部１６Ｕの上端部、および下側突出部１６Ｓの下端部に当接し、カム板部２０の水平部２１が対向片１５から離れた位置に保持されている。ボルト３１の軸部３３は、上下のカム板部２０の挿通孔２３を上下方向に貫通して一対の対向片１５の間に位置している。ボルト３１の頭部３４は下側のカム板部２０の下面に当接し、ナット３２はボルト３１の軸部３３の先端に螺合して上側のカム板部２０の上面に当接している。
【００２９】
次に、バッテリ端子Ｔをバッテリポスト４０に接続する作業の一例を説明する。
まず、バッテリ端子Ｔの嵌合部１４をバッテリポスト４０に嵌合する（図７参照）。嵌合部１４は、バッテリポスト４０の周りに若干の隙間をもって外嵌される。
【００３０】
次に、締め付け具３０を締め付ける。ナット３２をボルト３１の軸周りに回転させると、ナット３２が軸部３３に対して相対的に下側（頭部３４に接近する側）に変位する。ナット３２および頭部３４に押圧された上下のカム板部２０は上下方向に互いに接近し、この際、上側のカム板部２０の傾斜部２２が対向片１５の上側突出部１６Ｕを下方に押圧し、下側のカム板部２０の傾斜部２２が対向片１５の下側突出部１６Ｓを上方に押圧する。傾斜部２２によって押圧された上下の突出部１６Ｕ，１６Ｓは、傾斜部２２の傾斜によって次第に内側に変位し、一対の対向片１５が次第に接近する。一対の対向片１５の間隔が狭まるにつれて、嵌合部１４は縮径変形し、図９に示すように、バッテリポスト４０に密着して十分に締め付けられて固定される。このとき、図８に示すように、上下のカム板部２０の水平部２１は、対向片１５の上端および下端にそれぞれ当接している。また、上下のカム板部２０の傾斜部２２は、それぞれ上側突出部１６Ｕおよび下側突出部１６Ｓの高さ方向における中央部近傍にわたり当接している。
以上により、バッテリ端子Ｔをバッテリポスト４０に接続する作業が完了する。
【００３１】
次に、上記のように構成された実施例の作用および効果について説明する。
本実施例のバッテリ端子Ｔは、バッテリポスト４０に外嵌可能な筒状に形成された嵌合部１４と、嵌合部１４から径方向の外方に突出して、嵌合部１４の周方向に対向配置された一対の対向片１５と、を備えている。対向片１５には、一対の対向片１５の対向方向とは反対方向に突出している突出部１６が設けられている。また、対向片１５の上方および下方（嵌合部１４の軸方向と同方向）には、締め付け具３０によって上下方向（嵌合部１４の軸方向と同方向）に締め付けられて上下方向（嵌合部１４の軸方向と同方向）に変位するカム板部２０が、隣接して配されている。カム板部２０には、カム板部２０の変位に伴って突出部１６を一対の対向片１５が接近する方向に変位させる傾斜を有する傾斜部２２が設けられている。
【００３２】
この構成によれば、締め付け具３０を縦締めすると、カム板部２０が上下方向（嵌合部１４の軸方向と同方向）に変位し、それに伴って一対の対向片１５が接近する方向に変位し、嵌合部１４が縮径してバッテリポスト４０に接続されるから、締め付け具３０を縦締めしてバッテリ端子Ｔをバッテリポスト４０に接続することができる。
【００３３】
突出部１６は、傾斜部２２と同様に傾斜している。この構成によれば、突出部１６と傾斜部２２とが面あたりするので、バッテリ端子Ｔの接続作業をスムーズに行うことができる。
【００３４】
また、突出部１６が、対向片１５の上下両端部（嵌合部１４の軸方向と同方向における両端部）に設けられ、かつカム板部２０が、対向片１５の上下方向（嵌合部１４の軸方向と同方向）における両側に備えられている。この構成によれば、嵌合部１４の軸方向における両端部を締め付けて、バッテリポスト４０に接続することができる。
【００３５】
また、突出部１６が、対向片１５の上下方向（嵌合部１４の軸方向と同方向）における端縁部から外方向（一対の対向片１５の対向方向とは反対方向）に屈曲して形成される。この構成によれば、例えば対向片の一部を外側に叩き出したり切り起こしたりして突出部を形成する場合に比して、比較的容易に突出部１６を形成することができる。
【００３６】
また、突出部１６が、一対の対向片１５の両方に設けられている。この構成によれば、一対の対向片１５の両方がカム板部２０によって押圧されるから、一方の対向片１５のみが押圧される場合に比して、嵌合部１４をバランスよく縮径変形させることができる。
【００３７】
＜実施例２＞
次に、本発明を具体化した実施例２に係るバッテリ端子５０を図１０〜図１４によって説明する。
本実施例のバッテリ端子５０は、一対の対向片１５が、嵌合部１４を間にして電線接続部１８と９０度異なる側に位置している点で、実施例１とは相違する。なお、実施例１と同様の構成には同一符号を付して重複する説明を省略する。
【００３８】
本実施例に係るバッテリ端子５０は、実施例１と同様に、バッテリポスト４０に外嵌可能な嵌合部１４と、嵌合部１４から径方向の外方に突出して設けられた一対の対向片１５と、を有し、一対の対向片１５には、外方向に突出して突出部１６が設けられている。また、実施例１と同様、締め付け具３０によって上下方向に締め付けられて上下方向に変位するカム板部２０が、一対の対向片１５の上下両側に備えられ、カム板部２０には、カム板部２０の変位に伴って突出部１６を内方向に変位させる傾斜を有する傾斜部２２が備えられている。
【００３９】
このバッテリ端子５０の端子本体部５１は、嵌合部１４からの電線接続部１８の突出方向と、一対の対向片１５の突出方向とが略直角をなしている。電線接続部１８は、嵌合部１４のうち一方の対向片１５に連なる略半分の領域に連結されている。
【００４０】
本実施例のバッテリ端子５０によれば、実施例１と同様、締め付け具３０を縦締めすると、カム板部２０が嵌合部１４の軸方向と同方向に変位し、それに伴って一対の対向片１５が接近する方向に変位し、嵌合部１４が縮径変形してバッテリポスト４０に接続される。本実施例のバッテリ端子５０は、嵌合部１４のうち電線接続部１８が設けられている側の部分の剛性が高くて変形しにくいため、主に電線接続部１８とは反対側の部分が変形してバッテリポスト４０に締め付けられる。
【００４１】
＜他の実施例＞
本発明は上記記述及び図面によって説明した実施例に限定されるものではなく、例えば次のような実施例も本発明の技術的範囲に含まれる。
（１）上記実施例では、突出部１６が、傾斜部２２と同様に傾斜しているが、これに限らず、例えば、突出部は、湾曲形状をなして突出したものであってもよい。
（２）上記実施例では、突出部１６が、対向片１５の上下両端部に設けられているが、これに限らず、突出部は、対向片の上端部または下端部のいずれか一方のみに設けてもよく、それにより、嵌合部の上下両端部のうちいずれか一方がバッテリポストをより強く締め付けるようにしてもよい。
（３）上記実施例では、突出部１６が、一対の対向片１５の両方に設けられているが、これに限らず、突出部は、一対の対向片のうち一方の対向片のみに形成してもよく、例えば、上記実施例２に記載したバッテリ端子では、嵌合部の剛性が低い側（電線接続部とは反対側）の対向片のみに突出部を形成してもよい。
【符号の説明】
【００４２】
Ｔ（５０）…バッテリ端子
１４…嵌合部
１５…対向片
１６…突出部
２０…カム板部
２２…傾斜部
４０…バッテリポスト
【図１】
2017117602.tif 000003
【図２】
2017117602.tif 000004
【図３】
2017117602.tif 000005
【図４】
2017117602.tif 000006
【図５】
2017117602.tif 000007
【図６】
2017117602.tif 000008
【図７】
2017117602.tif 000009
【図８】
2017117602.tif 000010
【図９】
2017117602.tif 000011
【図１０】
2017117602.tif 000012
【図１１】
2017117602.tif 000013
【図１２】
2017117602.tif 000014
【図１３】
2017117602.tif 000015
【図１４】
2017117602.tif 000016